(57)【特許請求の範囲】
【請求項１】
現在位置を検出する現在位置検出装置を備えた車両に備えられ、一方向無線放送を受信する無線受信装置と、ユーザによって設定された音楽取得時間に基づいて、前記無線受信装置によって受信された一方向無線放送に含まれる音楽を取得して、記憶装置に記憶する音楽取得処理装置とを備えた車両用音楽自動取得装置であって、
現在時間を取得する現在時間取得手段と、
電源が常時供給され、前記現在時間取得手段で取得された現在時間が前記音楽取得時間となったときに、前記音楽取得処理装置が起動状態であるか否かを判断して、起動状態にない場合にはその音楽取得処理装置を起動させる起動制御手段と、
前記無線受信装置によって受信される受信感度が、良好に音楽を受信できる感度であるか否かを判定する受信感度判定手段と、
地図上の位置とその位置における受信感度の良否との関係が予め定まっている地図データを記憶した記憶装置とを備え、
前記受信感度判定手段は、前記記憶装置に記憶されている地図データと、前記現在位置検出装置によって検出された現在位置とに基づいて、受信感度を判定し、
前記起動制御手段は、現在時間が前記音楽取得時間となったとしても、前記受信感度判定手段によって受信感度が良好に音楽を受信できる感度ではないと判定された場合には、前記音楽取得処理装置を起動させないようになっており、
前記起動制御手段は、前記音楽取得処理装置を起動させた後、所定の音楽開始信号が受信されないままに現在時間が音楽取得終了時間となった場合には前記音楽取得処理装置を起動状態からオフ状態とすることを特徴とする車両用音楽自動取得装置。
【請求項２】
前記起動制御手段は、前記音楽取得処理装置を起動させた後、前記音楽開始信号を受信した場合には、前記音楽取得終了時間となっても、所定の音楽終了信号を受信するまでの間、音楽取得処理装置の起動状態を継続させることを特徴とする請求項１に記載の載用音楽自動取得装置。
【請求項３】
前記受信感度判定手段は、前記無線受信装置によって実際に受信された電波強度に基づいて受信感度を判定するものであることを特徴とする請求項１乃至２のいずれか１項に記載の車両用音楽自動取得装置。
【請求項４】
前記受信感度判定手段は、前記音楽取得時間が設定されている場合には、車両がキーオフ状態となる直前に受信感度を判定するものであり、
前記起動制御手段は、前記音楽取得時間までキーオフ状態が継続されていれば、キーオフ状態となる直前に前記受信感度判定手段によって判定された受信感度に基づいて、前記音楽取得処理装置を起動させるか否かを決定するようになっていることを特徴とする請求項１乃至３のいずれかに記載の車両用音楽自動取得装置。
【請求項５】
前記音楽取得処理装置は、前記無線受信装置によって前記音楽開始信号が受信されたことに基づいて、音楽の取得を開始することを特徴とする請求項１または２に記載の車両用音楽自動取得装置。
【請求項６】
前記音楽取得処理装置は、前記無線受信装置によって前記音楽終了信号が受信されたことに基づいて、音楽の取得を終了することを特徴とする請求項２に記載の車両用音楽自動取得装置。
【発明の詳細な説明】
【技術分野】
【０００１】
本発明は、車両に備えられ、一方向無線放送から音楽を自動的に取得する車両用音楽自動取得装置に関する。
【背景技術】
【０００２】
近年、サーバに対してユーザが取得したい音楽を要求し、それに基づいてサーバからその音楽がダウンロードできる技術、所謂、オンデマンド配信技術が実用化されている。これは、双方向通信が可能であることが必要である。
【０００３】
一方で、通常のＦＭ放送のように、一方向の無線放送によっても音楽は送信されている。家庭内に設置される据え置き型の音楽取得装置を用いて、一方向無線放送からユーザが必要な音楽を録音することも、従来から行われている。音楽取得装置は、通常、音楽再生装置としても機能しており、取得した音楽を再生することができる。
【０００４】
音楽再生装置としては、車両に搭載されるものも知られている。車両用の音楽再生装置内の記憶装置に音楽を取り込む手段としては、ＥＥＰＲＯＭのような記憶媒体に音楽データを記憶させ、その記憶媒体を音楽再生装置に接続して、記憶媒体内の音楽データを音楽再生装置内の記憶装置に転送することが一般的である。また、通常、ディスク型の記憶媒体から音楽データを音楽再生装置内の記憶媒体に転送することもできる。
【０００５】
このようにして、音楽再生装置内の記憶装置に転送された音楽データは、その記憶装置に記憶されている音楽認識データベースと照合させられることにより、タイトル、アーティストなどが認識される。認識できた場合には、記憶装置内にすでに記憶されていた楽曲であるか否かを判断することができる。
【０００６】
さらに、ＦＭラジオ放送などの一方向無線放送から自動的に音楽を取得できる機能を備えた車両用自動音楽取得装置も知られている。この機能を備えた従来の車両用自動音楽取得装置は、予め音楽取得開始時間をユーザが設定しておき、その時間に、アクセサリースイッチ、または、イグニッションスイッチをオンとして音楽自動取得装置に電源が供給される状態にしておけば、特定のＦＭ放送局から特定の時間に放送される音楽を自動的に取得できるというものである。
【発明の開示】
【発明が解決しようとする課題】
【０００７】
前述のように、従来の車両用自動音楽取得装置は、一方向無線放送から音楽を自動的に取得するためには、音楽を取得しようとする時間に、アクセサリースイッチ、または、イグニッションスイッチをオンとして音楽自動取得装置に電源が供給される状態にしておく必要がある。しかしながら、アクセサリースイッチ、または、イグニッションスイッチをオンしているのは、乗員が車両に乗っているときだけであり、音楽を取得したい時間に乗員が車両に乗っているとは限らない。従って、従来の車両用自動音楽取得装置は、一方向無線放送から自動的に音楽を取得できる場合が少なかった。
【０００８】
本発明は、この事情に基づいて成されたものであり、その目的とするところは、一方向無線放送から、より確実に自動的に音楽を取得できる車両用自動音楽取得装置を提供することにある。
【課題を解決するための手段】
【０００９】
その目的を達成するための請求項１記載の発明は、現在位置を検出する現在位置検出装置を備えた車両に備えられ、一方向無線放送を受信する無線受信装置と、ユーザによって設定された音楽取得時間に基づいて、前記無線受信装置によって受信された一方向無線放送に含まれる音楽を取得して、記憶装置に記憶する音楽取得処理装置とを備えた車両用音楽自動取得装置であって、
現在時間を取得する現在時間取得手段と、電源が常時供給され、前記現在時間取得手段で取得された現在時間が前記音楽取得時間となったときに、前記音楽取得処理装置が起動状態であるか否かを判断して、起動状態にない場合にはその音楽取得処理装置を起動させる起動制御手段と、前記無線受信装置によって受信される受信感度が、良好に音楽を受信できる感度であるか否かを判定する受信感度判定手段と、地図上の位置とその位置における受信感度の良否との関係が予め定まっている地図データを記憶した記憶装置とを備え、前記受信感度判定手段は、前記記憶装置に記憶されている地図データと、前記現在位置検出装置によって検出された現在位置とに基づいて、受信感度を判定し、前記起動制御手段は、現在時間が前記音楽取得時間となったとしても、前記受信感度判定手段によって受信感度が良好に音楽を受信できる感度ではないと判定された場合には、前記音楽取得処理装置を起動させないようになっていることを特徴とする。
【００１０】
この請求項１に記載の発明によれば、音楽取得処理装置が起動状態になくても、常時電源が供給される起動制御手段により、現在時間が音楽取得時間になったときに、音楽取得処理装置が起動させられる。従って、音楽を取得するために、アクセサリースイッチまたはイグニッションスイッチをオンしておく必要がなくなるので、より確実に自動的に音楽を取得できる。
【００１１】
また、無線放送が良好に受信できないにもかかわらず、音楽取得処理装置を起動させて、不十分な受信感度で受信された音楽を取得してしまうことが防止できる。また、受信感度を判定するために、実際に無線受信装置によって電波を受信する必要がない。従って、たとえば、現在位置検出装置により、逐次、現在位置を検出している状態にあるときには、効率的に受信感度を判定することができる。
【００１２】
請求項１記載の発明は、前記起動制御手段は、前記音楽取得処理装置を起動させた後、所定の音楽開始信号が受信されないままに現在時間が音楽取得終了時間となった場合には前記音楽取得処理装置を起動状態からオフ状態とする。
【００１３】
請求項２に係る発明は、前記起動制御手段は、前記音楽取得処理装置を起動させた後、前記音楽開始信号を受信した場合には、前記音楽取得終了時間となっても、前記音楽終了信号を受信するまでの間、音楽取得処理装置の起動状態を継続させることを特徴とする。
【００１４】
上記受信感度判定手段は、請求項３記載のように、前記無線受信装置によって実際に受信された電波強度に基づいて受信感度を判定することができる。このようにすれば、正確に受信感度を判定することができる。
【００１７】
また、請求項４記載の発明は、請求項１乃至３のいずれかに記載の車両用音楽自動取得装置において、前記受信感度判定手段は、前記音楽取得時間が設定されている場合には、車両がキーオフ状態となる直前に受信感度を判定するものであり、前記起動制御手段は、前記音楽取得時間までキーオフ状態が継続されていれば、キーオフ状態となる直前に前記受信感度判定手段によって判定された受信感度に基づいて、前記音楽取得処理装置を起動させるか否かを決定するようになっていることを特徴とする。
【００１８】
車両がキーオフとされれば車両位置は不変となることから、キーオフ直前の受信感度と音楽取得時間の受信感度とはほぼ同じであると考えられる。従って、キーオフ直前の受信感度から音楽取得時の受信感度の良否を判定することができるのである。そして、このようにキーオフ直前に受信感度を判定するようにすれば、受信感度を判定するために装置を起動させる必要がなくなる。
【００１９】
また、前記音楽自動取得装置は、請求項５記載のようにして音楽取得の開始を判断し、また、請求項６記載のようにして音楽取得の終了を判断することが好ましい。
【００２０】
すなわち、請求項５記載の発明は、請求項１または２に記載の車両用音楽自動取得装置において、前記音楽自動取得装置は、前記無線受信装置によって所定の音楽開始信号が受信されたことに基づいて、音楽の取得を開始することを特徴とする。
【００２１】
また、請求項６記載の発明は、請求項２に記載の車両用音楽自動取得装置において、前記音楽自動取得装置は、前記無線受信装置によって所定の音楽終了信号が受信されたことに基づいて、音楽の取得を終了することを特徴とする。
【００２２】
一方向無線放送においては、所望の音楽の放送開始および終了時間を正確に設定することは困難であるが、上記請求項５記載のようにすれば、音楽が放送される時間を正確に設定する必要はなく、たとえば、番組の開始時間など、音楽が放送される時間よりも前の時間を音楽取得の開始時間として設定しておけばよく、また、請求項６記載のようにすれば、音楽が放送される時間よりも後の時間を音楽取得の終了時間として設定しておけばよい。従って、所望の音楽を確実に取得できる。
【発明を実施するための最良の形態】
【００２３】
以下、本発明の実施の形態を、図面に基づいて説明する。図１は、本発明の音楽自動取得装置としての機能を備えた車載複合システム１０の構成を示すブロック図である。
【００２４】
車載複合システム１０は、オーディオユニット部２０、カーナビゲーション部３０、システムコントロール部４０、現在時間取得部５０、起動制御部６０、およびアンテナ７０を備えている。
【００２５】
オーディオユニット部２０は、ＦＭチューナ部２１、復調部２２、オーディオ制御部２３、音声出力回路２４、およびメモリ部２５を備えており、アナログ信号とデジタル信号とが多重化されたＦＭ多重放送が受信できる機能を備えている。このオーディオユニット２０が無線受信装置として機能する。また、図示していないが、オーディオユニット部２０は、コンパクトディスクなどのディスク型の記憶媒体に記憶されている音楽を再生するディスク再生装置およびＥＥＰＲＯＭが挿入されるインターフェースも備えている。
【００２６】
ＦＭチューナ部２１は、アンテナ７０によって受信された電波から、ユーザによって設定された周波数に基づいて、ＦＭ帯域に属する所定の周波数帯域の電波を抽出する。復調部２３は、ＦＭチューナ部２１によって抽出された周波数帯域の電波を復調して音声信号およびデジタル信号を取り出す。そして、その音声信号を音声出力回路２４に出力する。また、オーディオ制御部２３から要求信号が入力された場合には、オーディオ制御部２３に音声信号やデジタル信号を出力する。なお、所定のＦＭ放送局からは、通常の音声がアナログ信号として放送され、音楽データがデジタル信号として、そのアナログ信号に多重化されて放送されている。
【００２７】
音声出力回路２４は、復調部２２から供給された音声信号をシステムコントロール部４０に出力する。システムコントロール部４０は、その音声信号をスピーカ８０から出力させる。
【００２８】
オーディオ制御部２３は、図示しない内部にＣＰＵ、ＲＯＭ、ＲＡＭ等を備えたコンピュータであり、ＦＭチューナ部２１、復調部２２、音声出力部２４、メモリ部２５を制御する。また、システムコントロール部４０との間で信号の送受信が可能とされている。
【００２９】
このオーディオ制御部２３は、ＦＭチューナ部２１における抽出周波数帯域を制御したり、復調部２２からデジタル信号すなわち音楽データを取得して、メモリ部２５に記憶させたりする。従って、このオーディオ制御部２３が音楽取得処理装置として機能する。また、ディスク再生装置やＥＥＰＲＯＭから読み出した音楽データをメモリ部２５に記憶させる制御も実行する。
【００３０】
カーナビゲーション部３０は、自車位置検出部３１、地図情報記憶部３２、カーナビゲーション制御部３３などを備えている。自車位置検出部３１は、現在位置検出装置として機能するものであり、車両の絶対方位を検出する地磁気センサ、車両の相対方位を検出するジャイロスコープ、車輪や車軸の回転速度から車両の移動距離を検出する距離センサ、ＧＰＳ衛星から送信される位置測定用のＧＰＳ信号を受信するＧＰＳ受信機などの公知の位置検出装置を一つまたは複数備えて、車両の現在位置を逐次検出する。
【００３１】
地図情報記憶部３２は、例えば記憶媒体としてハードディスクを有し、そのハードディスクに、道路データ、背景データ、文字データ、施設データ、受信感度データなどを含んだ地図データが記憶されている。上記受信感度データは、地図上の所定範囲毎、且つ、ＦＭ放送局別に、ＦＭ放送の受信感度の良否が記憶されたデータであり、地下駐車場は、入口付近の一部分を除いて、全てのＦＭ局の受信感度が不十分である範囲とされている。
【００３２】
カーナビゲーション制御部３３もコンピュータによって構成され、地図情報記憶部３２に記憶されている地図データに基づいて、出発地から目的地までの経路を探索する。また、探索した経路および自車位置検出部３１によって逐次検出される自車の現在位置に基づいて、経路案内を実行する。このカーナビゲーション制御部３３は、システムコントロール部４０と信号の送受信が可能となっている。
【００３３】
そのシステムコントロール部４０もコンピュータによって構成されている。このシステムコントロール部４０は、オーディオユニット部２０、カーナビゲーション部３０の電源のオンオフ制御を行う。また、システムコントロール部４０は、オーディオユニット部２０からの音声やカーナビゲーション部３０で作成される経路案内音声などをスピーカ８０から出力させ、オーディオユニット部２０で再生中の音楽に関する楽曲情報（曲名、アーティスト名など）やナビゲーション部３０で決定される自車位置周辺の地図画像をディスプレイ８２に表示させる。
【００３４】
また、このシステムコントロール部４０には、車両情報検出部８４（車速センサ、シフト位置センサなど）から種々の車両情報が供給されるとともに、モード切替スイッチ８６からの信号が供給される。このモード切替スイッチ８６は、車載複合システム１０の処理モードを、経路案内モード、ＦＭラジオ受信モード、ＡＭラジオ受信モードなどの複数のモードから選択するためにユーザによって操作されるものである。
【００３５】
このシステムコントロール部４０は、アクセサリスイッチまたはイグニッションスイッチがオン状態である場合には、バッテリＢから電源が供給されてオン状態となる。一方、アクセサリスイッチ、イグニッションスイッチがオフとなると、システムコントロール部４０もオフとなり、その状態では、起動制御部６０によってオンオフ状態が制御される。
【００３６】
現在時間取得部５０は、時計回路８８からの信号に基づいて、現在時間を逐次取得する。起動制御部６０は、ユーザによって設定される音楽取得情報（音楽取得開始時間、音楽取得終了時間、および音楽取得ＦＭ局）を一時的に記憶する図示しない記憶装置を備えている。そして、上記現在時間取得部５０によって取得された現在時間と上記記憶装置に記憶された音楽取得開始時間および音楽取得終了時間とに基づいてシステムコントロール部４０のオンオフ状態を制御する。なお、現在時間取得部５０および起動制御部６０には、バッテリＢから常時電源が供給されている。
【００３７】
図２は、システムコントロール部４０において実行される受信感度判定ルーチンを示すフローチャートである。なお、この処理は、カーナビゲーション部３０が起動状態にあるときであって、前述の音楽取得情報が設定されているときに、所定周期で逐次実行するものである。
【００３８】
まず、ステップＳ１０では、自車位置検出部３１によって車両の現在位置を検出する。続くステップＳ２０では、地図情報記憶部３２に記憶されている地図データを参照して、ステップ１０で検出した現在位置が、音楽取得情報として記憶されているＦＭ局に関して受信感度良好地点であるか否かを判断する。この判断が肯定判断である場合には、ステップＳ３０を実行して、受信感度が良好であり、音楽取得可能状態であると決定する。一方、否定判断である場合には、受信感度が不十分であり、音楽取得不能状態であると決定する。このステップＳ３０、Ｓ４０で決定した状態は、起動制御部６０内の記憶装置に記憶される。
【００３９】
前述のように、この受信感度判定ルーチンは、イグニッションスイッチがオン状態のときに動作するシステムコントロール部４０において所定周期で繰り返し実行するようになっている。従って、イグニッションスイッチがオフ状態とされた場合には、イグニッションスイッチがオフされる直前の状態が起動制御部６０内の記憶装置に記憶されることになる。
【００４０】
図３は、ＦＭ多重放送から音楽を取得する音楽取得制御ルーチンを示すフローチャートである。この処理は、前述の音楽取得情報が設定されている場合に実行する。なお、図３において、ステップＳ１８０およびＳ２００がオーディオ制御部２３における処理、他のステップは起動制御部６０における処理である。
【００４１】
ステップＳ１００では、現在時間が音楽取得開始時間となったか否かを判断する。この判断が否定判断である場合には、このステップＳ１００を繰り返し実行することにより待機する。一方、肯定判断となった場合には、ステップＳ１１０にて、システムコントロール部４０が電源オンの状態であるか否かを判断する。電源がオフ状態でありステップＳ１１０が否定判断となった場合には、ステップＳ１２０へ進む。
【００４２】
ステップＳ１２０では、前述の図２の受信感度判定ルーチンにて受信感度を判定した状態であるか否かを判断する。図２の処理は、カーナビゲーション部３０が起動状態にあるときにのみ実行するものであることから、感度判定ができておらず、ステップＳ１２０が否定判断となることもある。この場合には、ステップＳ１４０を直接実行する。
【００４３】
一方、ステップＳ１２０が肯定判断である場合には、ステップＳ１３０において、キーオフされてから現在まで継続して電源がオフ状態であるか否かをさらに判断する。この判断が否定判断である場合、すなわち、受信感度が判定されてから現在までの間にキーオフ状態が中断されたことがある場合には、感度判定後に車両位置が移動した可能性があることから、ステップＳ１４０にて、システムコントロール部４０およびオーディオユニット部２０をオンさせ、さらに、ステップＳ１５０にて受信感度を実際に判定する。
【００４４】
ステップＳ１５０では、オーディオユニット部２０にて、前述の音楽情報に含まれている音楽取得ＦＭ局の電波を実際に受信し、その実際に受信した感度に基づいて受信感度を判定する。このステップＳ１５０も受信感度判定手段に相当する。
【００４５】
ステップＳ１３０が肯定判断である場合またはステップＳ１５０を実行した場合には、ステップＳ１６０にて、音楽取得可能状態に決定されているか否かを判断する。この判断が否定判断である場合には、本ルーチンを終了する。一方、肯定判断である場合には、ステップＳ１７０にて、システムコントロール部４０およびオーディオユニット部２０をオンさせる。次いで、ステップＳ１８０にて、実際に音楽を取得する処理である音楽取得ルーチンを実行する。この音楽取得ルーチンについては後述する。
【００４６】
ステップＳ１８０を実行してＦＭ放送から音楽を取得したら、ステップＳ１９０にてシステムコントロール部４０およびオーディオユニット部２０をオフした後に、本ルーチンを終了する。
【００４７】
また、前述のステップ１１０が肯定判断である場合には、ステップＳ２００において受信感度を判定する。このステップＳ２００における処理はステップＳ１５０と同じである。従って、ステップＳ２００も受信感度判定手段に相当する処理である。
【００４８】
続くステップＳ２１０では、上記ステップＳ２００にて感度良好と判定されたか否かを判断する。この判断が否定判断である場合には、本ルーチンを終了する。一方、肯定判断である場合には、ステップＳ２２０の音楽取得ルーチンを実行する。このステップＳ２２０の処理は、ステップＳ１８０と同じである。
【００４９】
図４は、図３のステップＳ１８０またはＳ２２０で実行する音楽取得ルーチンを示すフローチャートである。まず、ステップＳ３００では、オーディオユニット部２０がデジタル信号（すなわち音楽データ）を受信したか否かを判断する。この判断が否定判断である場合には、ステップＳ３１０にて、音楽取得終了時間となったか否かをさらに判断する。
【００５０】
ステップＳ３１０の判断が否定判断となった場合には、前述のステップＳ３００以下を繰り返す。一方、肯定判断となった場合には、本ルーチンを終了する。このステップＳ３１０の判断は、設定間違いや番組変更などで、予定したデジタル信号が送信されない場合にも、図４の処理を終了できるようにするためである。
【００５１】
ステップＳ３００が肯定判断となった場合には、ステップ３２０にて、デジタル信号をメモリ部２５に取り込む。そして、ステップＳ３３０において、デジタル信号が終了したか否かを判断する。ステップＳ３３０が否定判断である場合には、ステップＳ３２０を繰り返して、デジタル信号の取り込みを継続する。一方、ステップＳ３３０が肯定判断となった場合には、本ルーチンを終了する。なお、図４の処理においては、先頭のデジタル信号が音楽開始信号であり、最後のデジタル信号が音楽終了信号である。
【００５２】
以上、説明した本実施形態によれば、システムコントロール部４０およびオーディオユニット部２０が起動状態になくても、常時電源が供給される起動制御部６０により、現在時間が音楽取得時間になったときに、システムコントロール部４０およびオーディオユニット部２０が起動させられる。従って、音楽を取得するために、アクセサリースイッチまたはイグニッションスイッチをオンしておく必要がなくなるので、より確実に自動的に音楽を取得できる。
【００５３】
また、本実施形態によれば、音楽の取得前に受信感度を判定しているので、受信感度が不十分である場合には、システムコントロール部４０やオーディオユニット部２０をオンしないようになっている。従って、オーディオユニット部２０にてＦＭ多重放送が良好に受信できないにもかかわらず、そのオーディオユニット部２０を起動させて、不十分な受信感度で受信された音楽を取得してしまうことが防止される。
【００５４】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００５５】
たとえば、前述の実施形態では、現在時間取得部５０は、時計回路８８から逐次現在時間を取得していたが、カーナビゲーション部３０にＧＰＳ受信機が備えられている場合には、そのＧＰＳ受信機を介してＧＰＳ衛星から送信される現在時間を取得するようにしてもよい。このようにすれば、より正確な現在時間を取得できることから、一層確実に所望の音楽を取得できる。
【００５６】
また、前述の実施形態では、前述の実施形態では、自車位置と地図データとに基づいてキーオフ状態となる前の受信感度を判定していたが、実際に逐次、所定のＦＭ放送を受信して感度を判定してもよい。また、ステップＳ１５０、Ｓ２００において図２の処理を実行して受信感度を判定してもよい。
【図面の簡単な説明】
【００５７】
【図１】本発明の音楽自動取得装置としての機能を備えた車載複合システム１０の構成を示すブロック図である。
【図２】システムコントロール部４０において実行される受信感度判定ルーチンを示すフローチャートである。
【図３】ＦＭ多重放送から音楽を取得する音楽取得制御ルーチンを示すフローチャートである。
【図４】図３のステップＳ１８０またはＳ２２０で実行する音楽取得ルーチンを示すフローチャートである。
【符号の説明】
【００５８】
１０：車載複合システム（音楽自動取得装置）
２０：オーディオユニット部（無線受信装置）
２３：オーディオ制御部（音楽取得処理装置）
２５：メモリ部（記憶装置）
３１：自車位置検出部(現在位置検出装置)
３２：地図情報記憶部（記憶装置）
５０：現在時間取得部（現在時間取得手段）
６０：起動制御部（起動制御手段）
ステップＳ１０乃至Ｓ４０：受信感度判定手段
Ｓ１５０：受信感度判定手段
Ｓ２００：受信感度判定手段
【図１】
0004793040.tif 000002
【図２】
0004793040.tif 000003
【図３】
0004793040.tif 000004
【図４】
0004793040.tif 000005